(57)【要約】【課題】  表示画面用の非常に大きな輝度のダイナミックレンジを有する発光ダイオードの制御装置を提供する。【解決手段】  本発明の全般的分野は、発光ダイオードを含む照明装置の輝度を制御する装置に関する。制御装置（１０）は決められた期間の周期的入力信号（ＳＰＷＭ）によって駆動され、各期間は決められた輝度レベルを表わすアクティブ化時間（ＴＡ）を含む。本制御装置は、発光ダイオードを通る電流の強さに関する第二の制御信号（ＳＡ−Ａ）を生成する、アナログ電子手段（１１）を備え、第二の制御信号の振幅は、発光ダイオードに加えられる周期的入力信号と第二の信号との結合が、周期的入力信号のダイナミックレンジよりも大きい、輝度のダイナミックレンジを与えるような方法で、アクティブ化時間の増加関数である。【選択図】      図２
2012253022.tif 000002
【特許請求の範囲】
【請求項１】
発光ダイオードを含む照明装置（５）の輝度を制御するための装置（１０）であって、前記制御装置は決められた期間（Ｔ）の周期的入力信号（ＳＰＷＭ）によって駆動され、各期間は決められた輝度レベルを表わすアクティブ化時間（ＴＡ）を含み、前記周期的入力信号は前記アクティブ化時間の間に前記発光ダイオードのスイッチオンを制御し、前記制御装置が、前記発光ダイオードを通る電流の強さに関する第二の制御信号（ＳＡ−Ａ）を生成するアナログ電子手段（１１）を備え、前記発光ダイオードに加えられる前記周期的入力信号と前記第二の信号との結合が、前記周期的入力信号のダイナミックレンジよりも大きい、輝度のダイナミックレンジを与えるような方法で、前記第二の制御信号（ＳＡ−Ａ）の振幅が前記アクティブ化時間（ＴＡ）の増加関数であることを特徴とする装置。
【請求項２】
前記アナログ電子手段が積分回路（ＲＣ）を含み、前記第二の信号が前記積分回路の出力信号に対応し、前記積分回路の時定数が所定の最小アクティブ化時間よりも大きいことを特徴とする、請求項１に記載の装置。
【請求項３】
前記第二の信号の振幅が鋸歯状の形であり、前記鋸歯状の期間が前記周期的信号の期間であるような方法で考案された、振幅勾配の生成回路を前記アナログ電子手段が含むことを特徴とする、請求項１に記載の装置。
【請求項４】
照明装置が発光ダイオードと、請求項１〜３のいずれか一項に記載の前記照明装置を制御する装置とを備える、光変調を伴う表示画面を含む表示装置。
【発明の詳細な説明】
【技術分野】
【０００１】
本発明の分野は、"Ｌｉｑｕｉｄ  Ｃｒｙｓｔａｌ  Ｄｉｓｐｌａｙｓ"（「液晶ディスプレイ」）を表わすＬＣＤとも呼ばれる、受動的表示画面の背面照明に関する。これらの画面は光変調器であり、作動するために外部光源を必要とする。
【背景技術】
【０００２】
一定の数の用途、特に航空分野において、これらの画面は昼夜にわたり使用される。その結果、光源は強い日光の下での正しい昼間のコントラスト、及びパイロットの夜間の視覚を妨げないように、ほのかに光る夜間の画像の両方を確実にするような、大きな輝度のダイナミックレンジを持たなければならない。従って、１，０００〜１０，０００のオーダーの輝度のダイナミックレンジが指定され得る。
【０００３】
技術的に、これらの大きなダイナミックレンジを達成するために、"Ｐｕｌｓｅ  Ｗｉｄｔｈ  Ｍｏｄｕｌａｔｉｏｎ"（「パルス幅変調」）を表わす"ＰＷＭ"と呼ばれる、負荷率に関して変調された制御信号が用いられる。これらの周期的信号は、各期間の間に可変のアクティブ化時間を含む。しかしながら、指定された輝度のダイナミックレンジは、提供されるＰＷＭ制御信号のダイナミックレンジよりも大きくなり得る。例えば、ＰＷＭ信号のダイナミックレンジは１００に制限され、その一方で必要とされるダイナミックレンジは１，０００のオーダーである。
【０００４】
一定の光源に関しては、負荷率による制御で十分だということが明らかである。特に"Ｈｉｇｈ  Ｃａｔｈｏｄｅ  Ｆｌｕｏｒｅｓｃｅｎｔ  Ｌａｍｐ"（「熱陰極蛍光ランプ」）を表わす"ＨＣＦＬ"、又は"Ｃｏｌｄ  Ｃａｔｈｏｄｅ  Ｆｌｕｏｒｅｓｃｅｎｔ  Ｌａｍｐ"（「冷陰極蛍光ランプ」）を表わす"ＣＣＦＬ"タイプの蛍光ランプについて述べられるであろう。実際、アクティブ化時間が非常に短いとき、これらの光源の技術的性質を考慮に入れると、放射される光はアクティブ化時間に比例せず、しかし後者よりもずっと少なく、その一方でアクティブ化時間がより長いとき、放射される光はアクティブ化時間に比例するようになる。例えば、ＰＷＭの期間の１％に相当するアクティブ化時間に対して、放射される光の量は可能な最大値の０．１％であろう。その一方で、ＰＷＭの期間の５０％に相当するアクティブ化時間に対して、放射される光の量は可能な最大値の５０％に近いであろう。従って、必然的に、探し求められている増加した輝度のダイナミックレンジが得られる。
【０００５】
しかしながら、発光ダイオードもしくはＬＥＤのような一定の光源は、非常に短い応答時間を有する。寸法、発光効率、及び寿命に関するそれらの性能を考慮して、ＬＥＤは表示画面用の光源を実現するために、ますます多く使われている。この場合、前の結果はもはや存在しない。発光ダイオードのみがＰＷＭ信号により制御される場合、放射される輝度はＰＷＭのアクティブ化時間と直接的に比例し、探し求められている結果、すなわち大きな光のダイナミックレンジを得ることをもはや可能にしない。
【０００６】
この欠点を緩和するため、ＬＥＤの輝度の調節は、ＬＥＤを通る電流の振幅を変調すること、又はＰＷＭ信号による所与の期間にわたってアクティブ化時間を変調すること、あるいは非常に深い変調を得るために２つの変調を結合することにより達成される。技術的に、アクティブ化時間分布の振幅／調節の、この変調を行なうために、デジタル信号に作用する算術的及び論理的計算機能が用いられる。図１は、この原理を用いるデジタル制御装置を表わす。この装置１は輝度指令ＣＬを受けるデジタルコントローラ２を備える。このコントローラ２は２つのデジタル信号を生成する。第１の信号は、輝度指令に応じて、決められたアクティブ化時間を有する負荷率に関して変調される、時間信号ＳＰＷＭである。第二の信号ＳＡ−Ｎは、発光ダイオードの配列を通る電流用の制御信号である。それはデジタル−アナログ変換器３もしくは"ＤＡＣ"を用いてアナログ信号ＳＡ−Ａへと変換され、次にＬＥＤ配列５用の電子制御回路４に加えられる。その装置は場合により、ダイオードにより放射された輝度を細かく調整できるようにする、自動制御装置で補完され得る。それは図１内の点線の矢印により表わされている。
【０００７】
しかしながら、この技術的解決策は或る欠点を示し得る。航空関連において、例えこれらの計算手段が他の必要性によって正当化されるとしても、ＰＷＭ／振幅分布計算機能は、"Ｄｅｓｉｇｎ  Ａｓｓｕｒａｎｃｅ  Ｇｕｉｄａｎｃｅ  Ｆｏｒ  Ａｉｒｂｏｒｎｅ  Ｅｌｅｃｔｒｏｎｉｃ  Ｈａｒｄｗａｒｅ"（「航空機に搭載される電子ハードウェア用の設計保証ガイダンス」）と題されるＲＴＣＡ／ＤＯ−２５４タイプ、又は"Ｓｏｆｔｗａｒｅ  Ｃｏｎｓｉｄｅｒａｔｉｏｎｓ  ｉｎ  Ａｉｒｂｏｒｎｅ  Ｓｙｓｔｅｍｓ  ａｎｄ  Ｅｑｕｉｐｍｅｎｔ  Ｃｅｒｔｉｆｉｃａｔｉｏｎ"（「航空機搭載システムにおけるソフトウェアの検討及び装置の保証」）と題されるＲＴＣＡ／ＤＯ−１７８タイプの、最も制約の多い開発及び保証の手順に支配される。
【０００８】
さらに、蛍光ランプの段階的な消滅に関連する旧式化の問題のために、装置メーカーは蛍光ランプに基づく背面照明をＬＥＤに基づく照明ユニットで置き換える傾向にある。ところで、既に見られたように、蛍光ランプは単純なＰＷＭ信号により制御される。これらの場合、装置メーカー又は航空機メーカーは、表示装置のあらゆる再保証を避けるため既存の数値計算機能の変更を導入することを望まないし、ＰＷＭ／振幅分布計算を行なう必然的に複雑な、あらゆるデジタル回路を追加することも望まない。
【発明の概要】
【発明が解決しようとする課題】
【０００９】
本発明による装置は、これらの様々な欠点の緩和を可能にする。実際それは、発光ダイオードを通る電流の強さに対する制御信号の生成を可能にし、そして従来のＰＷＭ信号による制御と組み合わされて、大きな輝度のダイナミックレンジの達成を可能にする、アナログ電子手段を備える。
【課題を解決するための手段】
【００１０】
より正確には、本発明の主題は、発光ダイオードを含む照明装置の輝度を制御するための装置であり、前記制御装置は決められた期間の周期的入力信号によって駆動され、各期間は決められた輝度レベルを表わすアクティブ化時間を含み、前記周期的入力信号は前記アクティブ化時間の間に発光ダイオードのスイッチオンを制御し、前記制御装置は、発光ダイオードを通る電流の強さに関する第二の制御信号を生成する、アナログ電子手段を備え、発光ダイオードに加えられる周期的入力信号と第二の信号との結合が、周期的入力信号のダイナミックレンジよりも大きい、輝度のダイナミックレンジを与えるような方法で、第二の制御信号の振幅がアクティブ化時間の増加関数であることを特徴とする。
【００１１】
有利なことに、第一の実施形態において、アナログ電子手段は積分回路を備え、第二の信号は前記積分回路の出力信号に対応し、前記積分回路の時定数は所定の最小アクティブ化時間よりも大きい。
【００１２】
有利なことに、第二の実施形態において、アナログ電子手段は、第二の信号の振幅が鋸歯状の形であり、鋸歯状の期間が周期的信号の期間であるような方法で考案された、振幅勾配の生成回路を含む。
【００１３】
本発明はまた、照明装置が発光ダイオードと、上記で定義されるような前記照明装置を制御する装置とを備える、光変調を伴う表示画面を含む表示装置に関する。
【００１４】
本発明は以下に続く制限されない記述を読むことにより、そして添付図によってより良く理解され、その他の利点が明らかになるであろう。
【図面の簡単な説明】
【００１５】
【図１】既述された、先行技術による照明装置の輝度を制御する装置の概略図を表わす。
【図２】本発明による照明装置の輝度を制御する装置の概略図を表わす。
【図３】本発明による制御装置の第一の実施形態を表わす。
【図４】図３の制御装置を用いて得られた輝度のダイナミックレンジを表わす。
【図５】図３の装置により制御される照明装置のダイオードに流された電流のアクティブ化時間、振幅変化を表わす。
【図６】図３の装置により制御される照明装置のダイオードに流された電流のアクティブ化時間、振幅変化を表わす。
【図７】図３の装置により制御される照明装置のダイオードに流された電流のアクティブ化時間、振幅変化を表わす。
【図８】本発明による制御装置の第二の実施形態を表わす。
【図９】図８の制御装置を用いて得られた輝度のダイナミックレンジを表わす。
【図１０】図８の装置により制御される照明装置のダイオードに流された電流のアクティブ化時間、振幅変化を表わす。
【図１１】図８の装置により制御される照明装置のダイオードに流された電流のアクティブ化時間、振幅変化を表わす。
【図１２】図８の装置により制御される照明装置のダイオードに流された電流のアクティブ化時間、振幅変化を表わす。
【発明を実施するための形態】
【００１６】
例として、図２は本発明による照明装置の輝度を制御するための、制御装置１１の概略図を表わす。照明５は発光ダイオードに基づく明かりである。ダイオードは、可視スペクトルの全域にわたり放射する、いわゆる「白色」ダイオードであることが望ましい。しかし、本発明による装置を伴う、赤色、緑色、及び青色ダイオードの三つ組を駆動することもまた可能である。ダイオードは従来から直列に配置される。ダイオードに電流を供給する手段４は従来式であり、当業者には良く知られている。
【００１７】
制御装置１１は、前にＳＰＷＭと名付けられた周期的入力信号により駆動される。この信号のダイナミックレンジは、ダイオードにとって必要とされる輝度のダイナミックレンジ全体をカバーするには不十分である。例えば、輝度のダイナミックレンジは１〜１，０００であるのに対して、ＰＷＭ信号のダイナミックレンジは１〜１００である。
【００１８】
信号ＳＰＷＭはダイオードの配列のスイッチオンを直接制御する。この制御は図２においてスイッチＩの記号で表わされる。信号ＳＰＷＭはまたアナログ電子手段１１用の入力信号としても用いられる。これらの手段の機能は、ＬＥＤ配列５の電子制御回路４に加えられる、アナログ信号ＳＡ−Ａを生成することである。信号ＳＰＷＭは周期的信号であることが知られており、持続時間Ｔの各期間は、その間この信号が一定の指令値を有するアクティブ化時間ＴＡを含み、その信号はこのアクティブ化時間ＴＡの外側では０である。電子手段１１の機能は、ゲートパルスの形の信号ＳＰＷＭに、アクティブ化時間の持続期間と共に増加する出力信号ＳＡ−Ａを生成する電子機能を適用することである。この信号ＳＡ−Ａは、ＬＥＤにおける電流の制御用の振幅指令として加えられる。この信号は従って信号ＳＰＷＭのダイナミックレンジを補う、追加的なダイナミックレンジを作り出す。例えば、最初の信号ＳＰＷＭのダイナミックレンジが１〜１００であり、それゆえアクティブ化時間が１００の比率で変化し得ることを表わす場合、及びアクティブ化時間に応じて信号ＳＡ−Ａの振幅が１〜１０まで変化し、すなわちこの信号が非常に少ないアクティブ化時間に対して一定の値に等しく、最大のアクティブ化時間に対してはこの値の１０倍である場合、全体の輝度のダイナミックレンジは、そのとき１〜１０００まで変化し、これは探し求められた結果となる。
【００１９】
電子手段１１を具体化することを可能にする、各種の単純な手段が存在する。第一の例示的実施形態として、図３、４、５、６及び７はそれぞれ電子手段の概略図を表わし、輝度のダイナミックレンジは、その手段と、３つの異なるアクティブ化時間に関してダイオードに流される電流の振幅変化と、によって得られる。
【００２０】
この機能を行なうことを可能にする最も単純な電子回路は、基本的に抵抗Ｒ及びコンデンサＣを含む積分回路又はＲＣ回路である。この回路は図３に表わされている。強さの変化は積分器の時定数、すなわちＲＣの積に依存し、振幅のレベルは基準電圧ＶＲＥＦに依存する。
【００２１】
図４は、２つの異なるＲＣ定数に対する対数尺度における、信号ＳＰＷＭのアクティブ化時間の百分率ＴＡ／Ｔの関数としての、輝度変化ＬＯＧ（Ｌ）を表わす。一点鎖線で示される第一の曲線Ｃ１は、信号ＳＰＷＭのみが加えられる場合の輝度変化を表わす。それは直線である。輝度のダイナミックレンジは、この場合は信号ＳＰＷＭのダイナミックレンジに等しい。連続している太線として示される第二の曲線Ｃ２は小さい時定数を表わす。この場合、輝度のダイナミックレンジは信号ＳＰＷＭのダイナミックレンジよりも大きい。約５の係数が得られることが分かる。太い破線として示されている第三の曲線Ｃ３は、より大きな時定数を表わす。この場合、輝度のダイナミックレンジは、信号ＳＰＷＭのダイナミックレンジよりも著しく大きい。１０よりも大きい係数が得られることが分かる。
【００２２】
図５、６、及び７は３つの異なるアクティブ化時間に関する、ダイオードに流された電流の振幅変化を表わす。図５は典型的には１％のオーダーの非常に短いアクティブ化時間に対するものであり、図６は典型的には１０％のオーダーの平均的なアクティブ化時間に対するものであり、図７は典型的には１００％のオーダーの、ＰＷＭ信号の期間の持続時間に類似のアクティブ化時間に対するものである。
【００２３】
各々の図はＰＷＭ信号のおおよその期間Ｔに関する、時間ｔに依存する３つの曲線を含む。最上部の曲線は信号ＳＰＷＭの二元の動作を表わし、中間の曲線はダイオード制御回路に加えられた信号ＳＡ−Ａの振幅変化を表わし、最下部の曲線はダイオードを実際に通り、信号ＳＰＷＭ及び信号ＳＡ−Ａの両方により変調された電流ＩＬＥＤの強さを表わす。
【００２４】
図５のアクティブ化時間ＴＡは非常に短く、フィルターの時定数ＲＣに関して、信号ＳＡ−Ａの振幅は、その最大値に達する時間を有さない。
【００２５】
図６のアクティブ化時間ＴＡはより長く、フィルターの時定数ＲＣに関して、信号ＳＡ−Ａの振幅は、その最大値ＳＭＡＸに達する時間を有する。しかしながら、時間ＴＡの間の信号の振幅における平均値は、この最大値ＳＭＡＸよりもはるかに小さいままである。
【００２６】
図７のアクティブ化時間ＴＡはＰＷＭ信号の周期に近い。フィルターの時定数ＲＣに関して、信号ＳＡ−Ａの振幅は実際にこの時間ＴＡの間、常にその最大値ＳＭＡＸにある。図６及び７の破線の曲線は、電子手段１１の様々な時定数ＲＣの値に関する信号ＳＡ−Ａの変化を表わす。
【００２７】
第二の例示的実施形態として、図８、９、１０、１１、及び１２はそれぞれこの第二の例の電子手段の概略図を表わし、輝度のダイナミックレンジは、その手段と３つの異なるアクティブ化時間に関してダイオードに流される電流の振幅変化との理由で得られる。
【００２８】
図８の電子回路は、時間的勾配の形で信号ＳＡ−Ａの変化を作り出すことを可能にする。この回路は主として、立ち上がり検出器ＤＦＭ、電流源ＳＣ、及びコンデンサＣを含む。定電流におけるコンデンサの充電は、時間と共に直線的に増加する出力電圧を発生する。理論的に、この完全な時間関数と呼ばれる電子回路図は、ＰＷＭパルスの持続時間ＴＡと共に直線的に変化する信号ＳＡ−Ａを与える。持続時間ＴＡの関数としてのＳＡ−Ａの振幅変化はＫ．ＴＡと表示され得る。信号ＳＰＷＭの期間Ｔの間に得られる輝度Ｌの平均値は、従って（ＴＡ）２に比例する。
【００２９】
一定の数の場合において、ＰＷＭ信号の全期間にわたって時間的に伸びる勾配を達成することは可能でない。一般に、勾配のダイナミックレンジが１つだけの十進目盛にわたって伸びるのに対して、ＰＷＭ信号のダイナミックレンジは２つ又は３つの十進目盛であり得る。この場合、信号ＳＡ−Ａの振幅は、ＴＡが一定の値ＴＡ０よりも大きくなる場合のみ、アクティブ化時間ＴＡのアフィン関数となる。
次のように書かれ得る：
ＴＡ<ＴＡ０    ＳＡ−Ａ＝Ｋ１．
ＴＡ>ＴＡ０    ＳＡ−Ａ＝Ｋ１＋Ｋ２．（ＴＡ−ＴＡ０）
そして    ＴＡ<ＴＡ０    Ｌ〜Ｋ１．ＴＡ  
ＴＡ>ＴＡ０    Ｌ〜Ｋ１．ＴＡ＋Ｋ２．（ＴＡ−ＴＡ０）．ＴＡ
【００３０】
これは、２つの可能な実例となる場合における、対数目盛上での信号ＳＰＷＭのアクティブ化時間の百分率ＴＡ／Ｔの関数としての、輝度変化ＬＯＧ（Ｌ）を表わす図９に例証されているものである。図４のように、細い一点鎖線で示される第一の曲線Ｃ１は、信号ＳＰＷＭのみが加えられる場合に輝度変化を表わす。それは直線である。
【００３１】
勾配の持続時間が殆ど全体期間Ｔをカバーするとき、連続する太線として示されている曲線により表わされる、第二の曲線Ｃ２’もまた得られる。この場合、輝度のダイナミックレンジは、信号ＳＰＷＭのダイナミックレンジよりもはるかに大きい。
【００３２】
勾配の持続時間が全体期間Ｔの一部分だけをカバーするとき、太い点線として示される第三の曲線Ｃ３’が得られる。この場合、輝度のダイナミックレンジＬは前のものよりも小さい。
【００３３】
図１０、１１、及び１２は、勾配の持続時間がＰＷＭ信号の期間の持続時間と類似である場合に、３つの異なるアクティブ化時間に関してダイオードに流される電流の振幅変化を表わす。図１０は典型的には１％のオーダーの、非常に短いアクティブ化時間に対するこれらの変化を、図１１は典型的には１０％のオーダーの、平均的なアクティブ化時間に対するこれらの変化を、図１２は典型的には１００％のオーダーの、ＰＷＭ信号の期間の持続時間に類似のアクティブ化時間に対するこれらの変化を表わす。
【００３４】
前の例におけるように、各々の図はおおよそＰＷＭ信号の期間に対する時間ｔに依存した３つの曲線を含む。最上部の曲線は信号ＳＰＷＭの二元の動作を、中間の曲線はダイオード制御回路に加えられる信号ＳＡ−Ａの振幅変化を、そして最下部の曲線は実際にダイオードを通り、信号ＳＰＷＭ及び信号ＳＡ−Ａの両方により変調された電流ＩＬＥＤの強さを表わす。
【００３５】
勿論、これら２つの例示的実施形態に基づく、数多くの可能な変形を具体化することが可能である。とりわけＬＥＤにおける導電がアクティブ化時間ＴＡの最後に遮断されるとき、ＬＥＤ内における電流の指令レベルの最小水準に戻る持続時間を変えることができる。
【００３６】
各種の可能な実施形態の各々に対して、必要とされる輝度を正確に得るために、アクティブ化の持続時間を調整できるようにする、自動制御装置を追加することが常に可能であることに注意されたい。
【００３７】
本発明による制御装置の利点は次の通りである：
―これがもたらす費用低減と共に、単純な電子機能の使用による実施の卓越した容易さと、
―それらの単純さに起因する、使用される電子手段の卓越した頑健性及び高い信頼性と、
―抵抗又はコンデンサのような基本的電子部品を単に変えることによる、必要とされる輝度への適合の卓越した容易さと、
―一方で、ＦＰＧＡのような輝度の計算を行なうために必要とされる、複雑なデジタル構成部品の使用と、他方で、関連するソフトウェアの開発及び保証の費用とを回避する、アナログ技術の使用と、
―マイクロコントローラ又はＣＰＬＤ（"Ｃｏｍｐｌｅｘ  Ｐｒｏｇｒａｍｍａｂｌｅ  Ｌｏｇｉｃ  Ｄｅｖｉｃｅ"［複合プログラマブル論理デバイス］）タイプの制御手段、及びそれらのソフトウェア又はＶＨＤＬ（"ＶＨＳＩＣ  Ｈａｒｄｗａｒｅ  Ｄｅｓｃｒｉｐｔｉｏｎ  Ｌａｎｇｕａｇｅ"［ＶＨＳＩＣハードウェア記述言語］）構成タイプのプログラミングを変えることなく、蛍光光源をダイオードに基づく照明で置き換えることの卓越した容易さ。
これらの部分を、プログラム、試験シーケンス、表示システムの上流との対話用のプロトコルのように、厳密に不変に保つことには、非常に大きな利点が存在する。
【符号の説明】
【００３８】
１  デジタル制御装置  
２  デジタルコントローラ  
３  デジタル−アナログ変換器  
４  電子制御回路  
５  ＬＥＤ配列  
１０  制御装置  
１１  アナログ電子手段  
ＳＡ−Ａ  アナログ信号  
ＳＡ−Ｎ  第二の信号  
ＳＰＷＭ  周期的入力信号  
ＣＬ  輝度指令  
Ｉ  スイッチ  
ＶＲＥＦ  基準電圧  
Ｒ  抵抗  
Ｃ  コンデンサ  
ＬＯＧ（Ｌ）  輝度変化  
ＴＡ／Ｔ  アクティブ化時間の百分率  
Ｃ１  第一の曲線  
Ｃ２  第二の曲線  
Ｃ３  第三の曲線  
ＩＬＥＤ  電流  
ＳＣ  電流源  
ＤＦＭ  立ち上がり検出器  
ＴＡ  アクティブ化時間  
Ｔ  全体期間  
ｔ  時間  
【図１】
2012253022.tif 000003
【図２】
2012253022.tif 000004
【図３】
2012253022.tif 000005
【図４】
2012253022.tif 000006
【図５】
2012253022.tif 000007
【図６】
2012253022.tif 000008
【図７】
2012253022.tif 000009
【図８】
2012253022.tif 000010
【図９】
2012253022.tif 000011
【図１０】
2012253022.tif 000012
【図１１】
2012253022.tif 000013
【図１２】
2012253022.tif 000014
【外国語明細書】
2012253022000001.pdf